【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
ＭＲＩを動作させるための装置であって、
被検者の器官のＭＲＩスキャンを実施すべくＭＲＩスキャナを動作させるための制御手段と、
第１のＭＲＩスキャンと第２のＭＲＩスキャンとを造影剤投与後の所定の時間間隔の始めと終りにそれぞれ受信するための入力手段と、
組織からの造影剤クリアランスが造影剤蓄積より遅い遅型母集団とクリアランスが蓄積より速い速型母集団との２つの主要な母集団を区別すべく前記第１及び第２のＭＲＩスキャンを解析することによって、前記第１及び第２のスキャンから減算マップを形成するための減算マップ形成手段と、
前記２つの主要な母集団の分布の表示を提供する出力手段とを備え、
造影剤投与後少なくとも３分でかつ２０分以下で前記第１のスキャンを実施し、前記所定の時間期間が少なくとも２０分であるように前記第２のスキャンを実施するように前記制御手段が構成されている、装置。
【請求項２】
前記所定の時間期間は、２０分より大きい値、３０分より大きい値、４０分より大きい値、５０分より大きい値、６０分より大きい値、７０分より大きい値、８０分より大きい値、９０分より大きい値、１００分より大きい値、７０分、７５分、及び９０分からなる群のいずれか１つである、請求項１に記載の装置。
【請求項３】
前記遅型母集団は、異常であるが非腫瘍性の組織領域に対応する、請求項１及び２のいずれか１項に記載の装置。
【請求項４】
前記異常であるが非腫瘍性の組織領域は、処置効果、炎症、ＢＢＢ（血液脳関門）障害のうちの少なくとも１つに対応する、請求項３に記載の装置。
【請求項５】
画像前処理を実施するように更に構成されており、前記前処理は、レジストレーションと強度変動についての補正とのうちの少なくとも１つを好ましくは含む、請求項１〜４のいずれか１項に記載の装置。
【請求項６】
強度変動についての前記補正は、各ＭＲＩ画像について別々に、大規模強度変動からなる強度変動マップを計算し、その後、それぞれの画像から前記強度変動マップを減算することを含む、請求項５に記載の装置。
【請求項７】
前記レジストレーションは、剛体レジストレーションと、頭部移動及びそれぞれのスキャン間の結果として得られる歪を見込む弾性レジストレーションとのうちの少なくとも１つを含む、請求項５に記載の装置。
【請求項８】
前記速型母集団内の初期増殖速度に基づいて、腫瘍の進行時間を推定するように構成されたデータプロセッサを更に備える、請求項１〜７のいずれか１項に記載の装置。
【請求項９】
疾病の進行と処置効果を鑑別するため、処置後の前記器官内で空間占拠性病変（ＳＯＬ）を描出するために使用される、請求項１に記載の装置。
【請求項１０】
前記ＭＲＩは、ＧＢＭ（多形性膠芽腫）であると診断された被験者に関するものであり、前記減算マップ形成手段は、前記速型母集団体積の体積変化を識別するように構成されており、前記出力手段は、前記増分が所定の閾値を超えるときに進行を示すように構成されている請求項１〜８のいずれか１項に記載の装置。
【請求項１１】
被験者の器官のＭＲＩを解析するための方法であって、
造影剤投与後少なくとも３分でかつ２０分以下で始まる所定の時間間隔の始めと終りに第１のＭＲＩスキャンと第２のＭＲＩスキャンとを受信し、
組織からの造影剤クリアランスが造影剤蓄積より遅い遅型母集団とクリアランスが蓄積より速い速型母集団との２つの主要な母集団を区別すべく前記第１及び第２のＭＲＩスキャンを解析することによって、前記スキャンから減算マップを形成し、
前記２つの主要な母集団の分布の表示を提供することを含み、前記所定の時間期間が少なくとも２０分である、被験者の器官のＭＲＩを解析するための方法。
【請求項１２】
被験者の器官のＭＲＩを解析するための方法であって、
第１の３Ｄ−ＭＲＩスキャンと第２の３Ｄ−ＭＲＩスキャンとを造影剤投与後の所定の時間間隔の始めと終りに受信し、
組織からの造影剤クリアランスが造影剤蓄積より遅い遅型母集団とクリアランスが蓄積より速い速型母集団との２つの主要な母集団を区別すべく前記第１及び第２の３Ｄ−ＭＲＩスキャンを解析することによって、前記３Ｄ−ＭＲＩスキャンから減算マップを形成し、
前記２つの主要な母集団の分布の表示を提供することを含み、前記所定の時間期間が少なくとも２０分である、被験者の器官のＭＲＩを解析するための方法。
【請求項１３】
血管からの造影剤の排液を組織内に吸収される造影剤と比較することによって、腫瘍組織が存在するかどうかを前記減算マップから判定することを更に含む、請求項１１及び１２のいずれか１項に記載の方法。
【請求項１４】
前記速型母集団によって示される形態的に活性な腫瘍と前記遅型母集団によって示される非腫瘍性組織を鑑別するために使用される、請求項１〜１０のいずれか１項に記載の装置又は請求項１１〜１３のいずれか１項に記載の方法。
【請求項１５】
前記器官は、脳、結腸、前立腺、膀胱、乳房、胸、肺、肝臓、骨及び骨髄、卵巣、腎臓、脾臓、甲状腺、膵臓、頭及び頸、四肢、皮膚、リンパ節、脳、結腸、前立腺、乳房、肺、肝臓、骨及び骨髄、卵巣、膵臓、頭及び頸、皮膚、腹、目、心臓、胃からなる群から選択される、請求項１〜１０のいずれか１項に記載の装置又は請求項１１〜１４のいずれか１項に記載の方法。
【請求項１６】
手術後の残留腫瘍を描出すること、
手術後の残留腫瘍と手術後変化とを区別すること、
腫瘍の局所的処置を誘導すること、
出血領域内の活性腫瘍を検出すること、
処置される低悪性度腫瘍において処置効果から悪性転換を鑑別すること、
抗血管新生処置による処置後に前記器官内の腫瘍を描出し、抗血管新生薬の作用及び応答パターンのメカニズムを調査すること、
腫瘍進行と放射線壊死を鑑別するため、放射線ベース処置による処置後に前記器官内の腫瘍を描出すること、
腫瘍進行と疑似進行を鑑別するため、放射線ベース化学療法と処置との一方または両方の処置後における前記器官内の腫瘍を描出すること、
脳の空間占拠性病変（ＳＯＬ）の進行と集束放射線処置に続く処置効果とを鑑別すること、
脳のＳＯＬの進行と集束放射線処置に続く処置効果とを鑑別すること、
所定の閾値を超える増分のレベルが腫瘍進行を示すものである前記速型母集団体積の体積変化を識別すること、
閉鎖したＡＶＭ及び処置効果の一方から開口したＡＶＭを鑑別すること、
のうちの少なくとも１つの用途に使用される、請求項１〜１０のいずれか１項に記載の装置又は請求項１１〜１５のいずれか１項に記載の方法。
【手続補正２】
【補正対象書類名】明細書
【補正対象項目名】０１７８
【補正方法】変更
【補正の内容】
【０１７８】
本発明は、本発明の特定の実施形態に関連して述べられたが、多くの代替、修正、及び変形が当業者に明らかになることが明らかである。したがって、添付特許請求の範囲の精神及び広い範囲内に入る全てのこうした代替、修正、及び変形を包含することが意図される。本仕様書で述べられる全ての出版物、特許、及び特許出願は、それぞれの個々の出版物、特許、及び特許出願が、参照により本明細書に組込まれることを具体的にかつ個々に指示される場合と同じ程度に、本仕様書内に参照することによってその全体が本明細書に組込まれる。更に、本出願におけるいずれの参照の引用又は特定も、こうした参照が本発明にとって従来技術として利用可能であるという承認として解釈されないものとする。
本開示は以下の態様を包含する。
［付記１］  ＭＲＩを動作させるための装置であって、
被検者の器官のＭＲＩスキャンを実施すべくＭＲＩスキャナを動作させるための制御手段と、
第１のＭＲＩスキャンと第２のＭＲＩスキャンとを造影剤投与後の所定の時間間隔の始めと終りにそれぞれ受信するための入力手段と、
組織からの造影剤クリアランスが造影剤蓄積より遅い遅型母集団とクリアランスが蓄積より速い速型母集団との２つの主要な母集団を区別すべく前記第１及び第２のＭＲＩスキャンを解析することによって、前記第１及び第２のスキャンから減算マップを形成するための減算マップ形成手段と、
前記２つの主要な母集団の分布の表示を提供する出力手段とを備え、
造影剤投与後少なくとも５分でかつ２０分以下で前記第１のスキャンを実施し、前記所定の時間期間が少なくとも２０分であるように前記第２のスキャンを実施するように前記制御手段が構成されている、装置。
［付記２］  ＭＲＩを動作させるための装置であって、
３Ｄ−ＭＲＩスキャンを実施するように構成されているＭＲＩスキャナと、
前記ＭＲＩスキャナから被検者の器官の第１のＭＲＩスキャンと第２のＭＲＩスキャンとを造影剤投与後の所定の時間間隔の始めと終りにそれぞれ受信するための入力手段と、
組織からの造影剤クリアランスが造影剤蓄積より遅い遅型母集団とクリアランスが蓄積より速い速型母集団との２つの主要な母集団を区別すべく前記第１及び第２のＭＲＩスキャンを解析することによって、前記第１及び第２のスキャンから減算マップを形成するための減算マップ形成手段と、
前記２つの主要な母集団の分布の表示を提供する出力手段とを備え、
前記所定の時間期間が少なくとも２０分であるように前記第１のスキャン及び前記第２のスキャンを実施するように前記制御手段が構成されている、装置。
［付記３］  前記減算マップ形成手段は、各磁気共鳴画像について強度マップを構築するための強度マップ構築手段を備え、前記減算マップは、一対の強度マップ間の相違点を検出することによって前記器官内の前記造影剤の濃度の変動を記述する、付記１又は２に記載の装置。
［付記４］  前記所定の時間期間は、２０分より大きい値、３０分より大きい値、４０分より大きい値、５０分より大きい値、６０分より大きい値、７０分より大きい値、８０分より大きい値、９０分より大きい値、１００分より大きい値、７０分、７５分、及び９０分からなる群のいずれか１つである、付記１、２、３のいずれか１項に記載の装置。
［付記５］  前記減算マップ形成手段は、各磁気共鳴画像内の選択された関心領域（ＲＯＩ）に対し代表的な強度値を割当てるとともに、前記代表的な強度値の時間依存性を決定するように構成されている、付記１〜４のいずれか１項に記載の装置。
［付記６］  前記減算マップ形成手段は、前記速型母集団によって示される形態的に活性な腫瘍と前記遅型母集団によって示される非腫瘍性組織を鑑別するように構成されている、付記１〜５のいずれか１項に記載の装置。
［付記７］  前記入力手段は、前記ＭＲＩスキャナから、造影剤投与後に取得された少なくとも１つの更なるＭＲＩスキャンを前記第１のＭＲＩスキャンの前に受信し、前記減算マップ形成手段は、前記更なるＭＲＩスキャン及び前記第２のＭＲＩスキャンを使用して第１の減算マップを形成するとともに、前記第１のＭＲＩスキャン及び前記第２のＭＲＩスキャンを使用して第２の減算マップを形成するように構成されている、付記１及び２のいずれか１項に記載の装置。
［付記８］  前記入力手段は、前記ＭＲＩスキャナから、造影剤投与後に取得された少なくとも１つの更なるＭＲＩスキャンを前記第１のＭＲＩスキャンの前に受信し、前記減算マップ形成手段は、前記更なるＭＲＩスキャン及び前記第２のＭＲＩスキャンを使用して第１の減算マップを形成するとともに、前記第１のＭＲＩスキャン及び前記第２のＭＲＩスキャンを使用して第２の減算マップを形成するように構成されている、付記３〜６のいずれか１項に記載の装置。
［付記９］  前記減算マップ形成手段は、前記第１のマップを使用して前記遅型母集団を識別するとともに、前記第２のマップを使用して前記速型母集団を識別するように構成されている、付記７に記載の装置。
［付記１０］  前記減算マップ形成手段は、前記第２のマップではなく前記第１のマップを使用して前記遅型母集団を識別するとともに、前記第１のマップではなく前記第２のマップを使用して前記速型母集団を識別するように構成されている、付記７に記載の装置。
［付記１１］  前記減算マップ形成手段は、前記第１のマップから得られる前記遅型母集団に対応する領域及び前記第２のマップから得られる前記速型母集団に対応する領域を有する第３のマップを形成するように構成されている、付記９に記載の装置。
［付記１２］  前記減算マップ形成手段は、前記第１のマップから得られる前記遅型母集団に対応する領域及び前記第２のマップから得られる前記速型母集団に対応する領域を有する第３のマップを形成するように構成されている、付記１０に記載の装置。
［付記１３］  前記遅型母集団は、異常であるが非腫瘍性の組織領域に対応する、付記１及び２のいずれか１項に記載の装置。
［付記１４］  前記遅型母集団は、異常であるが非腫瘍性の組織領域に対応する、付記３〜１１のいずれか１項に記載の装置。
［付記１５］  前記異常であるが非腫瘍性の組織領域は処置効果に対応する、付記１３に記載の装置。
［付記１６］  前記異常であるが非腫瘍性の組織領域は炎症に対応する、付記１３に記載の装置。
［付記１７］  前記異常であるが非腫瘍性の組織領域はＢＢＢ（血液脳関門）障害に対応する、付記１３に記載の装置。
［付記１８］  画像前処理を実施するように構成されている付記１及び２のいずれか１項に記載の装置。
［付記１９］  画像前処理を実施するように構成されている付記３〜６のいずれか１項に記載の装置。
［付記２０］  前記前処理は、レジストレーションを含む、付記１８に記載の装置。
［付記２１］  前記前処理は、強度変動についての補正を含む、付記１８及び２０のいずれか１項に記載の装置。
［付記２２］  強度変動についての前記補正は、各ＭＲＩ画像について別々に、大規模強度変動からなる強度変動マップを計算し、その後、それぞれの画像から前記強度変動マップを減算することを含む、付記１８に記載の装置。
［付記２３］  対応するＭＲＩ画像間のレジストレーションを実施するためのレジストレーションユニットを更に備える、付記１〜２２のいずれか１項に記載の装置。
［付記２４］  前記レジストレーションは剛体レジストレーションを含む、付記２３に記載の装置。
［付記２５］  前記レジストレーションは、頭部移動及びそれぞれのスキャン間の結果として得られる歪を見込む弾性レジストレーションを含む、付記２３に記載の装置。
［付記２６］  前記レジストレーションは、頭部移動及びそれぞれのスキャン間の結果として得られる歪を見込む弾性レジストレーションを含む、付記２４に記載の装置。
［付記２７］  前記弾性レジストレーションは、それぞれのスキャンの各スライスを体積格子に分割し、２つの時点間の強度差の絶対値の和が最小に達するまで、各体積を３次元で自由に移動させることを含む、付記２５に記載の装置。
［付記２８］  円形スミアリングを使用して前記レジストレーションから得られる３次元変換行列を平滑化し、１ピクセルについて複数の変換値を得るため補間するための平滑化及び補間ユニットを更に備える、付記２３〜２７のいずれか１項に記載の装置。
［付記２９］  前記速型母集団内の初期増殖速度に基づいて、腫瘍の進行時間を推定するように構成されたデータプロセッサを更に備える、付記１及び２のいずれか１項に記載の装置。
［付記３０］  前記速型母集団内の初期増殖速度に基づいて、腫瘍の進行時間を推定するように構成されたデータプロセッサを更に備える、付記３〜２８のいずれか１項に記載の装置。
［付記３１］  疾病の進行と処置効果を鑑別するため、処置後の前記器官内で空間占拠性病変（ＳＯＬ）を描出するために使用される、付記１及び２のいずれか１項に記載の装置。
［付記３２］  前記ＭＲＩは、ＧＢＭ（多形性膠芽腫）であると診断された被験者に関するものであり、前記減算マップ形成手段は、前記速型母集団体積の体積変化を識別するように構成されており、前記出力手段は、前記増分が所定の閾値を超えるときに進行を示すように構成されている付記１〜２９のいずれか１項に記載の装置。
［付記３３］  被験者の器官のＭＲＩを解析するための方法であって、
造影剤投与後少なくとも５分でかつ２０分以下で始まる所定の時間間隔の始めと終りに第１のＭＲＩスキャンと第２のＭＲＩスキャンとを受信し、
組織からの造影剤クリアランスが造影剤蓄積より遅い遅型母集団とクリアランスが蓄積より速い速型母集団との２つの主要な母集団を区別すべく前記第１及び第２のＭＲＩスキャンを解析することによって、前記スキャンから減算マップを形成し、
前記２つの主要な母集団の分布の表示を提供することを含み、前記所定の時間期間が少なくとも２０分である、被験者の器官のＭＲＩを解析するための方法。
［付記３４］  被験者の器官のＭＲＩを解析するための方法であって、
第１の３Ｄ−ＭＲＩスキャンと第２の３Ｄ−ＭＲＩスキャンとを造影剤投与後の所定の時間間隔の始めと終りに受信し、
組織からの造影剤クリアランスが造影剤蓄積より遅い遅型母集団とクリアランスが蓄積より速い速型母集団との２つの主要な母集団を区別すべく前記第１及び第２の３Ｄ−ＭＲＩスキャンを解析することによって、前記３Ｄ−ＭＲＩスキャンから減算マップを形成し、
前記２つの主要な母集団の分布の表示を提供することを含み、前記所定の時間期間が少なくとも２０分である、被験者の器官のＭＲＩを解析するための方法。
［付記３５］  前記形成は、各磁気共鳴画像について強度マップを構築することを含み、前記減算マップは、一対の強度マップ間の相違点を検出することによって前記器官内の前記造影剤の濃度の変動を記述する、付記３３又は付記３４に記載の方法。
［付記３６］  手術後の残留腫瘍と手術後変化を区別すべく前記マップを使用することを更に含む、付記３５に記載の方法。
［付記３７］  前記所定の時間期間は、２０分より大きい値、３０分より大きい値、４０分より大きい値、５０分より大きい値、６０分より大きい値、７０分より大きい値、８０分より大きい値、９０分より大きい値、１００分より大きい値、７０分、７５分、及び９０分からなる群のいずれか１つである、付記３３〜３６のいずれか１項に記載の方法。
［付記３８］  造影剤投与後に取得された少なくとも１つの更なるＭＲＩスキャンを前記第１のＭＲＩスキャンの前に受信することを更に含み、前記減算マップの形成は、前記更なるＭＲＩスキャン及び前記第２のＭＲＩスキャンを使用して第１の減算マップを形成するとともに、前記第１のＭＲＩスキャン及び前記第２のＭＲＩスキャンを使用して第２の減算マップを形成することを含む、付記３３〜３７のいずれか１項に記載の方法。
［付記３９］  前記第１のマップを使用して前記遅型母集団を識別し、前記第２のマップを使用して前記速型母集団を識別することを更に含む、付記３８に記載の方法。
［付記４０］  前記第２のマップではなく前記第１のマップを使用して前記遅型母集団を識別し、前記第１のマップではなく前記第２のマップを使用して前記速型母集団を識別することを更に含む、付記３８に記載の方法。
［付記４１］  前記第１のマップから得られる前記遅型母集団に対応する領域及び前記第２のマップから得られる前記速型母集団に対応する領域を有する第３のマップを形成することを更に含む、付記３９及び４０のいずれか１項に記載の方法。
［付記４２］  各磁気共鳴画像に対し代表的な強度値を割当てるとともに、前記代表的な強度値の時間依存性を決定することを更に含む、付記３３〜３７のいずれか１項に記載の方法。
［付記４３］  前記時間依存性を記述するグラフを生成することを更に含む、付記３３〜４２のいずれか１項に記載の方法。
［付記４４］  血管からの造影剤の排液を組織内に吸収される造影剤と比較することによって、腫瘍組織が存在するかどうかを前記減算マップから判定することを更に含む、付記３３〜４３のいずれか１項に記載の方法。
［付記４５］  前記速型母集団によって示される形態的に活性な腫瘍と前記遅型母集団によって示される非腫瘍性組織を鑑別することを更に含む、付記３３〜４４のいずれか１項に記載の方法。
［付記４６］  画像前処理を実施することを更に含む、付記３３〜４５のいずれか１項に記載の方法。
［付記４７］  前記前処理は、レジストレーションを含む、付記４６に記載の方法。
［付記４８］  前記前処理は、強度変動についての補正を含む、付記４６及び４７のいずれか１項に記載の方法。
［付記４９］  強度変動についての前記補正は、各ＭＲＩ画像について別々に、大規模強度変動からなる強度変動マップを計算し、その後、それぞれの画像から前記強度変動マップを減算することを含む、付記４５に記載の方法。
［付記５０］  前記速型母集団内の初期増殖速度に基づいて、腫瘍の進行時間を推定することを含む、付記３３〜４９のいずれか１項に記載の方法。
［付記５１］  腫瘍進行と放射線壊死を鑑別するために前記マップを使用することを含む、付記３３〜５０のいずれか１項に記載の方法。
［付記５２］  腫瘍進行と疑似進行を鑑別するため、化学療法と放射線ベースの一方または両方の処置後における前記器官内の腫瘍の描出を含む、付記３４に記載の方法。
［付記５３］  患者内の腫瘍処置を管理するための方法であって、
第１の３Ｄ−ＭＲＩスキャンと第２の３Ｄ−ＭＲＩスキャンとを造影剤投与後の所定の時間間隔の始めと終りに受信すること、
組織からの造影剤クリアランスが造影剤蓄積より遅い遅型母集団とクリアランスが蓄積より速い速型母集団との２つの主要な母集団を区別すべく前記第１及び第２の３Ｄ−ＭＲＩスキャンを解析することによって、前記３Ｄ−ＭＲＩスキャンから減算マップを形成すること、
前記２つの主要な母集団の分布の表示を提供することであって、前記所定の時間期間は少なくとも２０分である、提供すること、及び、
腫瘍と非腫瘍組織を区別するため前記減算マップ及び前記表示を使用することであって、それにより、更なる処置を決定するための情報を提供する、使用することを含む、方法。
［付記５４］  前記被検者は、脳腫瘍、ユーイング肉腫、頭部及び頚部腫瘍、肺がん、結腸及び直腸がん、乳がん、前立腺がん、泌尿器がん、子宮がん、膀胱がん、口腔がん、膵臓がん、胃がん、卵巣がん、肝臓がん、喉頭がん、甲状腺がん、食道がん、及び精巣がんからなる群から選択されるタイプのがんを有する、付記１〜５３のいずれか１項に記載の装置又は方法。
［付記５５］  前記器官は、脳、結腸、前立腺、膀胱、乳房、胸、肺、肝臓、骨及び骨髄、卵巣、腎臓、脾臓、甲状腺、膵臓、頭及び頸、四肢、皮膚、リンパ節、脳、結腸、前立腺、乳房、肺、肝臓、骨及び骨髄、卵巣、膵臓、頭及び頸、皮膚、腹、目、心臓、胃からなる群から選択される、付記１〜５３のいずれか１項に記載の装置又は方法。
［付記５６］  使用時に、疾病進行と処置効果を鑑別するため、処置後の前記器官内で病変を示す空間（ＳＯＬ）を描出するためのものである、付記１〜５５のいずれか１項に記載の装置又は方法。
［付記５７］  前記ＳＯＬは、脳腫瘍、原発性脳腫瘍、及び脳転移からなる群から選択される少なくとも１つの対象を含む、付記３１に記載の装置又は方法。
［付記５８］  前記ＳＯＬは、ＡＶＭ、海綿腫、髄膜腫、脊索腫、及び希な腫瘍からなる群から選択される少なくとも１つの対象を含む、付記３１及び５７のいずれか１項に記載の装置又は方法。
［付記５９］  前記処置は、化学療法、電離放射線治療、放射線治療、集束放射線治療、放射線手術、ガンマナイフ治療、強度変調治療、理学療法、温熱療法、電気治療、電磁治療、無線周波数治療、超音波治療、集束超音波治療、経頭蓋磁気刺激、電気穿孔療法、レーザ治療、低温療法、抗血管新生療法、免疫療法、遺伝子ベース治療、対流増加送達に基づく治療、及びその任意の組合せからなる群から選択される、付記３１〜５８のいずれか１項に記載の装置又は方法。
［付記６０］  前記ＳＯＬは高悪性度神経膠腫を含み、前記処置は、化学療法、電離放射線治療、及び化学療法、電離放射線治療の組合せを含む、付記３１〜５９のいずれか１項に記載の装置又は方法。
［付記６１］  前記ＳＯＬは脳転移を含み、前記処置は電離放射線治療を含む、付記３１〜６０のいずれか１項に記載の装置又は方法。
［付記６２］  使用時に、手術後の残留腫瘍を描出するためのものである、付記１〜６１のいずれか１項に記載の装置又は方法。
［付記６３］  使用時に、腫瘍の局所的処置を誘導するためのものである、付記１〜６１のいずれか１項に記載の装置又は方法。
［付記６４］  前記局所的処置は、５ｍｍ未満、より好ましくは２ｍｍ未満、より好ましくは１ｍｍ以下の空間分解能におけるものである、付記１〜６１のいずれか１項に記載の装置又は方法。
［付記６５］  使用時に、出血領域内の活性腫瘍を検出するためのものである、付記１〜６４のいずれか１項に記載の装置又は方法。
［付記６６］  使用時に、処置される低悪性度腫瘍において処置効果から悪性転換を鑑別するためのものである、付記１〜６４のいずれか１項に記載の装置又は方法。
［付記６７］  使用時に、抗血管新生処置による処置後に前記器官内の腫瘍を描出し、抗血管新生薬の作用及び応答パターンのメカニズムを調査するためのものである、付記１〜６３のいずれか１項に記載の装置又は方法。
［付記６８］  使用時に、腫瘍進行と放射線壊死を鑑別するため、放射線ベース処置による処置後に前記器官内の腫瘍を描出するためのものである、付記１〜６７のいずれか１項に記載の装置又は方法。
［付記６９］  使用時に、腫瘍進行と疑似進行を鑑別するため、放射線ベース処置による処置後に前記器官内の腫瘍を描出するためのものである、付記１〜６８のいずれか１項に記載の装置又は方法。
［付記７０］  使用時に、脳の空間占拠性病変（ＳＯＬ）の進行と集束放射線処置に続く処置効果とを鑑別するためのものである、付記１〜６９のいずれか１項に記載の装置又は方法。
［付記７１］  使用時に、前記速型母集団体積の体積変化を識別するためのものであり、所定の閾値を超える増分のレベルは腫瘍進行を示す、付記１〜７０のいずれか１項に記載の装置又は方法。
［付記７２］  使用時に、閉鎖したＡＶＭ及び処置効果の一方から開口したＡＶＭを鑑別するためのものである、付記１〜７１のいずれか１項に記載の装置又は方法。